(57)【要約】【課題】  適切な構図の画像を簡単に得ることができる画像作成装置を提供すること。【解決手段】    作成すべき画像の大きさと、その画像中に含まれる画像部分の画像全体に対する大きさや位置を画像フォーマットとして生成するフォーマット生成手段６と、作成された画像フォーマットを複数種類保存可能なフォーマット保存手段７と、写真を作成するための画像データを取得するスキャナー１と、取得された画像データを用いて、その画像の中の画像部分を指定する基準指定手段１０と、フォーマット保存手段７の中から特定の画像フォーマットを指定するフォーマット指定手段９と、指定された画像部分と画像フォーマットに基づいて、取得した画像データを補正する画像処理部４とを備えた。【選択図】図１
2005056052.tif 000002
【特許請求の範囲】
【請求項１】
作成すべき画像の大きさと、その画像中に設定された基準画像部分と、この基準画像部分の画像全体に対する大きさや位置を画像フォーマットとして生成するフォーマット生成手段と、
作成された画像フォーマットを複数種類保存可能なフォーマット保存手段と、
写真を作成するための画像データを取得する画像取得手段と、
取得された画像データを用いて、その画像の中の画像部分を指定する基準指定手段と、
前記フォーマット保存手段の中から特定の画像フォーマットを指定するフォーマット指定手段と、
前記指定された画像部分と指定された画像フォーマットの前記基準画像部分に基づいて、取得した前記画像データを補正する画像補正手段とを備えたことを特徴とする画像作成装置。
【請求項２】
前記画像部分の指定は、画像の中の特定の直線部分を指定するものであることを特徴とする請求項１に記載の画像作成装置。
【請求項３】
前記画像部分の指定は、画像の中の特定の２点を指定するものであることを特徴とする請求項１又は２に記載の画像作成装置。
【請求項４】
前記基準画像部分は基準直線部分であり、前記画像補正手段は、指定された直線部分と、前記基準直線部分とを比較し、それらの長さおよび傾きの違いに基づいて、取得された前記画像データの倍率と傾きを補正することを特徴とする請求項２に記載の画像作成装置。
【発明の詳細な説明】
【技術分野】
【０００１】
本発明は、スタジオ等で撮影された写真を作成するための画像作成装置に関するものである。
【背景技術】
【０００２】
写真店等のスタジオでは、七五三の写真、婚礼用の写真、記念写真等を作成するための写真撮影を行うサービスが良く行われている。このような写真は、背景や人物以外の小物の配置（机、テーブル、花瓶等）や人物の撮影倍率等は写真店においておよそ決められている。すなわち、 予め決められた構図に基づいて写真撮影が行われる。
【発明の開示】
【発明が解決しようとする課題】
【０００３】
従って、撮影を行うカメラマンは、適切な構図になるように、写真撮影時にカメラ位置や被写体の位置などを決めて撮影し、写真プリントを作成している。また、一旦撮影をして写真フィルムを現像してみたものの、撮影時の構図では今ひとつ適切ではなかったということもある。その場合は、現像済み写真フィルムのコマ画像をスキャニングしてデジタルデータ化された画像データを取得し、この画像データを用いてトリミングや拡縮処理を繰り返して最適な構図となるようにしている。従って、写真店のカメラマンや写真処理オペレータにとっては、適切な構図となる写真を得るまでにかなり煩雑な作業を要している。
【０００４】
本発明は上記実情に鑑みてなされたものであり、その課題は、適切な構図の画像を簡単に得ることができる画像作成装置を提供することである。
【課題を解決するための手段】
【０００５】
上記課題を解決するため本発明に係る画像作成装置は、
作成すべき画像の大きさと、その画像中に設定された基準画像部分と、この基準画像部分の画像全体に対する大きさや位置を画像フォーマットとして生成するフォーマット生成手段と、
作成された画像フォーマットを複数種類保存可能なフォーマット保存手段と、
写真を作成するための画像データを取得する画像取得手段と、
取得された画像データを用いて、その画像の中の画像部分を指定する基準指定手段と、
前記フォーマット保存手段の中から特定の画像フォーマットを指定するフォーマット指定手段と、
前記指定された画像部分と指定された画像フォーマットの前記基準画像部分に基づいて、取得した前記画像データを補正する画像補正手段とを備えたことを特徴とするものである。
【０００６】
この構成による画像作成装置の作用・効果は、以下の通りである。フォーマット生成手段は、写真画像を作成するためのフォーマットを生成することができる。このフォーマットの要素として、作成すべき画像の大きさと、その画像に含まれる基準画像部分と、この基準画像部分の画像全体に対する大きさや位置を設定することができる。この基準画像部分としては、例えば、構図の基準となるものを設定することができる。この画像フォーマットは、複数種類をフォーマット保存手段に保存（記憶）することができる。
【０００７】
一方、画像取得手段は画像データを取得する。例えば、画像取得手段は、現像済み写真フィルムのコマ画像を読み取りデジタルデータ化するためのフィルムスキャナーである。画像取得手段により取得した画像データを用いて、その画像中に存在する画像部分を指定する。また、作成すべき画像のフォーマットを保存されているものの中から特定のフォーマットを指定する。画像補正手段は、指定された画像部分と画像フォーマットの基準画像部分に基づいて、取得した画像データを補正する。従って、取得した画像データの中の画像部分を指定することで、指定したフォーマットの形になるように構図を適切に補正することができる。これにより、例えば、スタジオ等で写真を撮影する場合には、構図に対して大きな注意を払わなくてもすむようになる。その結果、適切な構図の画像を簡単に得ることができる画像作成装置を提供することができる。
【０００８】
本発明の好適な実施形態として、前記画像部分の指定は、画像の中の特定の直線部分を指定するものがあげられる。
【０００９】
直線部分としては、例えば、テーブルの右端から左端までの部分があげられる。これをフォーマットの基準画像部分と比較し、直線部分に基づいて適切な構図になるように取得した画像データを補正することができる。
【００１０】
本発明の別の好適な実施形態として、前記画像部分の指定は、画像の中の特定の２点を指定するものがあげられる。
【００１１】
画像の中の特定の２点を指定する方法を採用することもできる。先ほどのテーブルの例だと、テーブルの右端の点と左端の点とを指定することができる。この２点を基準画像部分と比較することで、適切な構図になるように補正することができる。
【００１２】
本発明の更に別の好適な実施形態として、前記基準画像部分は基準直線部分であり、前記画像補正手段は、指定された直線部分と、前記基準直線部分とを比較し、それらの長さおよび傾きの違いに基づいて、取得された前記画像データの倍率と傾きを補正するものがあげられる。
【００１３】
この構成によると、画像フォーマットとして基準直線部分を設定しており、指定された直線部分と基準直線部分とを比較することで、倍率と傾きを補正することができる。すなわち、 直線の長さの比率から倍率を求めることができる。また、直線の傾きの違いから傾きも正しく補正することができる。
【発明を実施するための最良の形態】
【００１４】
本発明に係る画像作成装置の好適な実施形態を図面を用いて説明する。図１は、画像作成装置の構成を示す模式図である。
【００１５】
＜画像作成装置の構成＞
画像作成装置は大きく分けて、イメージプロセッサーＡとプリンタプロセッサーＢとで構成される。まず、イメージプロセッサーＡの構成から説明する。スキャナー１は、現像済みネガフィルム（写真フィルム）に形成されているコマ画像を読み取りデジタルデータ化する。取得された画像データは、画像メモリ２に記憶される。画像メモリ２は、半導体メモリでもよいがハードディスクのような大容量記憶装置を用いてもよい。画像入力部３は、写真フィルム以外のメディアから画像データを取得する。例えば、デジタルカメラの記録媒体やＭＯディスク、ＣＤ−Ｒ等である。画像入力部３とスキャナー１は、画像取得手段に相当する。
【００１６】
画像処理部４は、取得した画像データに対する各種の画像処理を行う機能を有する。本発明においては、画像補正手段としての機能が重要であるので、かかる機能を中心に説明するものとする。すなわち、 写真店のスタジオ等で撮影された画像の構図が適切になるような補正を行うことができる。画像処理部４は、ハードウェアで構成するかソフトウェアで構成するかは本発明として限定されるものではない。モニター５は、取得した画像データをモニター画面に表示させる機能を有する。写真店のオペレータは、モニター画面を見ながら適切な構図となるように補正を行うことができる。
【００１７】
フォーマット生成手段６は、七五三や各種記念写真を作成する場合のフォーマットを生成することができる。例えば、図２のような構図の写真について考える。この写真では、被写体の前にテーブルがあり、横に帽子掛けが置かれている。構図を決める場合は、画像全体の大きさ（図２では横Ｘ、縦Ｙで示される）が決められており、その大きさの中で被写体をどのような大きさ（倍率）で撮影するかも、見栄えの良い写真を作成するという観点でおよそ決められている。被写体の撮影倍率がほぼ決まっている関係上、テーブルや帽子掛けの倍率もほぼ決まっていることになる。そこで、画像フォーマットとして画像の大きさだけでなく、構図を決める際の基準として画像中の基準画像部分の情報もフォーマットとして登録するようにしている。具体的には、図２の例で言うと、テーブルや帽子掛けを基準画像部分として設定することができる。なお、画像の大きさを登録する場合は、Ｘ，Ｙの寸法ではなく、Ｌ、２Ｌ、４つ切り等の写真サイズで登録するようにしても良い。
【００１８】
例えば、テーブルの下ラインＬ１を基準画像部分（基準直線部分）として選択することができる。このラインＬ１の画像全体に対する大きさや位置をフォーマット情報として設定することができる。画像の左下を原点Ｏとして、ライン（線分）Ｌ１の両端の座標（Ｘ1 ，Ｙ1 ）（Ｘ2 ，Ｙ2 ）をフォーマット情報とすることができる。あるいは、ラインＬ１の直線式と線分の開始点（Ｘ1 ，Ｙ1 ）をフォーマット情報としてもよい。あるいは、ラインＬ１の線分の長さＣと、開始点（Ｘ1 ，Ｙ1 ）と、線分の傾き（勾配）をフォーマット情報としても良い。
【００１９】
以上、テーブルの下ラインを基準画像部分とする例を説明したが、帽子掛けの縦ラインＬ２を基準画像部分（基準直線部分）としてもよい。この場合も線分の長さＤや線分の両端の座標（Ｘ3 ，Ｙ3 ）（Ｘ4 ，Ｙ4 ）等をフォーマット情報とすることもできる。テーブルの下ラインを基準画像部分とする場合と、帽子掛けの縦ラインを基準画像部分とする場合とでは、別ファイルの画像フォーマットとすることができる。あるいは、同じファイルの中に、両方を登録しても良い。
【００２０】
以上のようなフォーマット情報は、フォーマット保存手段７に適宜のファイル形式（例えば、テキストファイル）で保存される。フォーマット保存手段７は、ハードディスク等の大容量記憶装置を使用することができる。なお、図２のような画像であるが、これは予め撮影したネガフィルムの画像をスキャナー１により読み取ることで取得することができる。あるいは、フォーマット生成用の専用画面というのを設けて、この画面を見ながらフォーマット情報を生成できるようにしても良い。フォーマット保存手段７には、多数の画像フォーマットを記憶させておくことができる。
【００２１】
入力部８は、キーボードやマウスにより構成される。フォーマット情報を生成するためのラインの選択や座標の指定等を入力部８を介して付与する。フォーマット指定手段９は、フォーマット保存手段７に記憶されている画像フォーマットの中から特定のものを指定する。例えば、特定のファイル名等で指定することができる。
【００２２】
基準指定手段１０は、写真プリントを作成しようとする画像の中に含まれる画像部分を指定する。これは入力部８による入力操作に基づいて指定することができる。指定された画像部分は、画像フォーマットに登録されている基準画像部分と比較処理される。なお、この比較処理は画像補正手段（画像処理部４）の機能であり、具体的には後述する。
【００２３】
出力用メモリ１１は、画像処理部４で画像処理済みの画像データを受け取り、露光エンジン２０に転送する。プリンタプロセッサーＢは、写真プリントを作成する機能を有し、露光エンジン２０は、受け取った画像データに基づき、写真感光材料の乳剤面に画像を焼付露光する。露光エンジン２０は、レーザーエンジン、ＰＬＺＴエンジン等が例としてあげられる。ペーパーマガジン２１には、写真感光材料がロール状に収容されており、引き出された写真感光材料は、所定のプリントサイズに切断されて露光エンジン２０に送られる。画像が焼付露光された写真感光材料は、現像処理部２２で現像処理された後、仕上がりの写真プリントが装置外部に排出される。
【００２４】
＜画像補正手順＞
次に、図３のフローチャートに基づいて、画像補正処理の手順を説明する。まず、写真店のスタジオにて写真を撮影する（＃１）。撮影後、ネガフィルムを現像する（＃２）。現像済みネガフィルムをスキャナー１にセットし、コマ画像を読み取る（＃３）。読み取られた画像をモニター画面に表示させる（＃４）。この画像の例を図４に示す。オペレータは、この表示画面を見ながら構図が適正かどうかを判断する。構図が適切でない場合は、画像補正を行うため、まず、基準となる画像部分を指定する。ここでは、被写体の前にあるテーブルの下ラインを指定する。指定の方法は種々あるが、例えば、マウスを用いて点Ｐ1 から点Ｐ2 までをドラッグ（図４に矢印で示している）することで画像部分の指定ができる（＃５）。また、フォーマット保存手段７に保存されている多数の画像フォーマットの中から特定の１つを指定する（＃６）。また、指定されたフォーマットの大きさ（プリントサイズに対応する）を画像に重ねて表示することが好ましい。大きさは、四角の枠で表示させることができる。
【００２５】
画像部分の指定方法としてマウスをドラッグするのではなく、点Ｐ1 とＰ2 をそれぞれ個別にクリックして指定するようにしても良い。いずれにしても、Ｐ1 とＰ2 が分かれば、その線分の長さを演算で求めることができる。また、夫々の点の原点Ｏに対する座標が分かる。また、線分の勾配も演算することができる。これらの情報を指定した画像フォーマットの基準画像部分と比較して、適切な構図になるように補正する（＃７，８）。この補正内容を具体的に説明する。
【００２６】
まず、線分の長さＣ’を求め、フォーマットに登録してある長さと比較する。長さが一致していなければ、画像データの拡大処理又は縮小処理を行い、両者が一致するように倍率を補正する。また、線分Ｐ1 Ｐ2 の勾配θを求め、これをフォーマットに登録してある勾配と比較する。勾配が一致していなければ、画像データの回転処理を行う。さらに、点Ｐ1 （Ｐ2 でもよい）の座標と、フォーマットに登録してある基準直線部分の対応する座標とを比較し、一致していなければ、両者が一致するように画像全体の移動やトリミング等を行う。以上のようにして、画像補正を行うことができる。なお、基準指定手段１０により基準画像部分（基準直線部分）を指定した後の回転処理やトリミングについては、画像補正手段により自動的に処理が実行されることが好ましい。補正処理が終了した後の画像とプリントサイズ（前述した四角の枠）との関係も当然、表示画面に表示される。
【００２７】
画像処理部４にて画像補正及びその他の画像処理が終了すると、画像データは出力用メモリに送られる。そして露光エンジン２０に画像データが転送されて、写真プリントが作成される（＃９，１０）。
【００２８】
以上のように画像補正により適切な構図の写真画像を作成することができるので、実際に写真を撮影するときには、構図に対して神経を使うことなく撮影を行うことができる。また、構図に失敗したとしても、画像補正手段の機能に基づいて、簡単に適切な構図の画像を得ることができる。
【００２９】
＜別実施形態＞
（１）本実施形態では、テーブルの下ラインを用いて画像補正を行う例を説明したが、図２で説明した帽子掛けの縦ラインを基準として補正するようにしても良い。また、テーブルや帽子掛け以外のものを基準画像部分として設定してもよい。被写体の顔を基準画像部分としてもよい。例えば、頭の頂部とあごの下部の２点を指定してフォーマット情報に登録してもよい。あるいは、頭の頂部と足の下端部を指定しても良い。
（２）本実施形態では、基準画像部分として直線部分を例としてあげたが、これに限定されるものではない。例えば、円形の形のものを画像部分として設定することができる。この場合は、円の中心とその半径、あるいは、円周上の適宜の３点をフォーマット情報として登録できる。
（３）本実施形態では、写真店のスタジオで撮影した場合を中心に説明してきたが、これに限定されるものではない。また、ネガフィルム以外のデジタルカメラの記録媒体等から取得した画像データについても本発明を適用することができる。
【図面の簡単な説明】
【００３０】
【図１】画像作成装置の構成を示す模式図
【図２】画像フォーマットを説明するための図
【図３】画像補正手順を示すフローチャート
【図４】画像部分の指定方法を説明するための図
【符号の説明】
【００３１】
１      スキャナー
３      画像取得手段
４      画像処理部（画像補正手段）
５      モニター
６      フォーマット生成手段
７      フォーマット保存手段
８      入力部
９      フォーマット指定手段
１０    基準指定手段
【図１】
2005056052.tif 000003
【図２】
2005056052.tif 000004
【図３】
2005056052.tif 000005
【図４】
2005056052.tif 000006